(57)【要約】【課題】各遊技店に設置されている遊技台の交換状況などを集中管理可能な遊技台管理システムを提案すること。【解決手段】遊技台管理システム１では、各遊技店４に設置されている各遊技台７の電源投入時に、予め各遊技台７に付与されている遊技台識別情報ＩＤが遊技制御部５１から発生し、遊技店側管理装置５に送信される。遊技台識別情報ＩＤには設置場所情報、製造元、機種情報などが含まれている。遊技店側管理装置５は、受信した各遊技台識別情報ＩＤを、通信回線９を介して本部側管理装置３に送信する。本部側管理装置３では、各遊技店４に設置されている遊技台７を照合するための遊技台識別情報ＩＤ（０）が格納された遊技台データベース６０に基づき、各遊技店４から受信した各遊技台識別情報ＩＤの照合を行い、所定の場所に所定の遊技台７が設定されいるか否かの確認を行う。確認結果はその表示部６２の表示画面に表示される。【選択図】      図３
2004166765.tif 000002
【特許請求の範囲】
【請求項１】
複数の遊技台と、
各遊技台に実装されていると共に、各遊技台に固有の遊技台識別情報を発生可能な識別情報発生手段と、
各遊技台の前記識別情報発生手段から発生された前記遊技台識別情報を受け取り、予め記憶保持されている各遊技台毎に付与されている前記遊技台識別情報と比較して、各遊技台の照合を行う管理装置とを有し、
前記遊技台識別情報には、少なくとも、前記遊技台の設置場所情報、製造元情報、および機種情報が含まれていることを特徴とする遊技台管理システム。
【請求項２】
請求項１において、
前記識別情報発生手段は、前記遊技台の電源投入時に前記遊技台識別情報を発信することを特徴とする遊技台管理システム。
【請求項３】
請求項１または２において、
前記識別情報発生手段は、前記管理装置からの送信要求に応じて、前記遊技台識別情報を発生することを特徴とする遊技台管理システム。
【請求項４】
請求項１、２または３において、
前記管理装置は、各遊技店に設置されている前記遊技台を管理する遊技店側管理装置と、各遊技店側管理装置を介して各遊技店に設置されている前記遊技台を管理する本部側管理装置とを備えており、
前記遊技台の設置場所情報には、当該遊技台が設置されている遊技店情報および遊技店内における配置位置情報が含まれており、
前記本部側管理装置に前記遊技台識別情報が記憶保持され、当該本部側管理装置が各遊技店における各遊技台の照合を行うことを特徴とする遊技台管理システム。
【請求項５】
請求項１ないし４のうちのいずれかの項において、
各遊技台に対応して設置された遊技玉貸し出し用の台間機を有しており、
各遊技台の前記遊技台識別情報が、各遊技台に対応している前記台間機を経由して、前記管理装置に送信されることを特徴とする遊技台管理システム。
【発明の詳細な説明】
【０００１】
【発明の属する技術分野】
本発明は、パチンコ店などの遊技店に設置されているパチンコ台などの遊技台を集中管理可能な遊技台管理システムに関するものである。
【０００２】
【従来の技術】
パチンコ店などの遊技店では、集客を図るために、頻繁に遊技台の交換が行われる。従って、管理者にとっては、遊技台が何時の時点で交換されたのか、どの機種の遊技台がどのような機種のものに変わったのかなどをリアルタイムで管理する必要がある。管理が不十分な場合には、交換すべき遊技台の代わりに別の遊技台が誤って交換されたことや、遊技台が不正に交換されたことを知るこができない。
【０００３】
ここで、パチンコ台などの遊技台における出玉状態などは、隣接配置されている台間機を介してホールコンピュータに集計され、表示装置などによって表示できるようになっている。また、遊技台と台間機の間の通信システムとしては、例えば下記の特許文献に開示されたものがある。
【０００４】
【特許文献】
特開平１０−２３４９８７号公報
【０００５】
【発明が解決しようとする課題】
しかしながら、従来においては、各遊技台が交換されたか否か、交換が正しく行われたか否かなどを、遊技店のホールコンピュータあるいは、各遊技店を管理している管理本部の側において確認することができない。このために、遊技店の店長や管理本部の職員が目視により各遊技台を確認する必要があり、不便であった。
【０００６】
本発明の課題は、このような点に鑑みて、各遊技店における遊技台の設置状況を監視でき、各遊技台の交換などの確認も簡単に行うことのできる遊技台管理システムを提案することにある。
【０００７】
【課題を解決するための手段】
上記の課題を解決するために、本発明の遊技台管理システムは、
複数の遊技台と、
各遊技台に実装されていると共に、各遊技台に固有の遊技台識別情報を発生可能な識別情報発生手段と、
各遊技台の前記識別情報発生手段から発生された前記遊技台識別情報を受け取り、予め記憶保持されている各遊技台毎に付与されている前記遊技台識別情報と比較して、各遊技台の照合を行う管理装置とを有し、
前記遊技台識別情報には、少なくとも、前記遊技台の設置場所情報、製造元情報、および機種情報が含まれていることを特徴としている。
【０００８】
本発明においては、各遊技台に固有の識別情報が付与されており、各遊技台に付与されている遊技台識別情報を管理装置の側で照合することにより、各遊技台が適切な設置場所に設置されているか否かを確認できる。よって、遊技台が交換された場合には、管理装置の側では、交換前の遊技台識別情報の代わりに交換後の遊技台に付与された遊技台識別情報を記憶保持しておき、これと、交換後の遊技台から提供される遊技台識別情報を比較することにより、遊技台交換作業が正しく行われたか否かを確認できる。また、不正に遊技台が交換された場合には、交換後の遊技台からは遊技台識別情報が得られず、あるいは、得られた遊技台識別情報が記憶保持されているものと異なるので、かかる不正を確実に検出できる。
【０００９】
ここで、前記識別情報発生手段は、前記遊技台の電源投入時に前記遊技台識別情報を発信する構成とすることができる。このようにすれば、毎日、自動的に各遊技台を同定できる。
【００１０】
また、前記識別情報発生手段は、前記管理装置からの送信要求に応じて、前記遊技台識別情報を発生するようにしてもよい。このようにすれば、必要に応じて、各遊技台の照合を行うことができる。
【００１１】
次に、前記管理装置は、各遊技店に設置されている前記遊技台を管理するホールコンピュータと呼ばれている遊技店側管理装置と、各遊技店側管理装置を介して各遊技店に設置されている前記遊技台を管理する本部側管理装置とを備えた二階層構造とすることができる。この場合には、前記遊技台の設置場所情報に、当該遊技台が設置されている遊技店情報および遊技店内における配置位置情報を含めておき、前記本部側管理装置の側において、前記遊技台識別情報を記憶保持し、当該本部側管理装置が各遊技店における各遊技台の照合を行うように構成することができる。このようにすれば、複数の遊技店を管理している本部の側において、各遊技店における各遊技台の状態を集中管理できる。
【００１２】
一方、一般には、各遊技台に対応して遊技玉貸し出し用の台間機が設置され、当該台間機を介してホールコンピュータとの間で通信が行われるので、各遊技台の前記遊技台識別情報を、各遊技台に対応している前記台間機を経由して、前記管理装置に送信するように構成すればよい。
【００１３】
【発明の実施の形態】
以下に、図面を参照して、本発明を適用した遊技台管理システムの実施の形態を説明する。
【００１４】
（全体構成）
図１は、本実施の形態に係る遊技台管理システムの全体構成を示す説明図である。遊技台管理システム１は、管理本部２に設置されたコンピュータから構成される本部側管理装置３と、各遊技店４にそれぞれ設置されているコンピュータから構成される遊技店側管理装置５と、各遊技店４に設置されている多数の遊技ユニット６から基本的に構成されている。各遊技ユニット６は、隣接配置された遊技台７と台間機８から構成されている。本部側管理装置３は、有線あるいは無線回線９を介して各遊技店４の遊技店側管理装置５に接続されており、これらの遊技店側管理装置５を介して、各遊技店４に設置されている遊技台７を管理可能となっている。
【００１５】
各遊技店４においては、複数の遊技島１１が配置されており、各遊技島１１は複数の遊技ユニット６が配列された構成となっている。各遊技島１１には通信用の島中継機１２が設置されており、この島中継機１２は有線あるいは無線による構内通信回線１３を介して遊技店側管理装置５に接続されている。また、通信用島中継機１２は各台間機８を介して各遊技台７に接続されている。従って、各遊技島１１の各遊技台７は、台間機８、通信用島中継機１２、および構内通信回線１３を介して、遊技店側管理装置５に接続されている。
【００１６】
なお、各遊技店４には、パチンコ玉などの遊技玉を貸し出すための玉貸し出し機１４が設置されており、レジカウンタ１５には玉計数器が接続された精算機１６が設置されている。
【００１７】
（遊技ユニット）
図２は遊技ユニットの一例を示す正面図である。この図を参照して説明すると、遊技ユニット６の遊技台７に隣接配置されている台間機８は縦長の扁平な直方体形状をしており、その正面パネル２１には、貸し出し可能ランプ２２、操作パネル２３、カード挿入口２４等が設けられている。カード挿入口２４には遊技者の貸し玉供給の金額データが格納された磁気カード等が挿入される。操作パネル２３は、カード挿入口２４から挿入されたカードから金額を引き出すときの１回当たりの引き出し金額を設定するためのパネルである。
【００１８】
遊技台７にはその背面側に貸し玉供給装置３０が内蔵されており、台間機８からの指令により、貸し玉を放出する。貸し玉は供給口３２ａから遊技盤面３１の下部の玉受け皿３２に供給される。玉受け皿３２には、供給指令ボタン３３およびカード返却ボタン３４が設けられている。供給指令ボタン３３を１回押す毎に、操作パネル２３で設定された設定引き出し金額に応じた数の貸し玉が玉受け皿３２に供給される。供給指令ボタン３３には、ＬＥＤ３３ａが設けられており、このＬＥＤ３３ａが点灯しているときのみ、貸し玉の供給が可能である。カード返却ボタン３４は、遊技終了時に押すことにより、カード挿入口２４から返却される。
【００１９】
玉受け皿３２の上側の位置には、液晶あるいはＬＥＤなどで構成された表示部３５が配置されており、台間機８の操作パネル２３で設定された設定引き出し金額や、カード挿入口２４に挿入されたカード内の金額等が表示される。玉受け皿３２の下側には、遊技実行のためのグリップハンドル３６が配置されている。
【００２０】
（制御系）
次に、図３は遊技台管理システム１の制御系を示す概略構成図である。この図を参照して説明すると、台間機８には、マイクロコンピュータなどから構成される玉貸し制御部４１と、カードリーダライタ４２と、電源回路部４３と、通信用インターフェース４４が配置されている。硬貨や紙幣を用いて玉貸し動作を行う場合には、これらに加えて、硬貨処理部および紙幣処理部が追加された構成となる。玉貸し制御部４１は、遊技台７に対する玉貸し制御、カードリーダライタ４２の動作制御、遊技台７の表示部３５の表示制御などを行う。また、遊技台７から当該遊技台に付与されている遊技台識別情報ＩＤを受け取り、島中継機１２から構内通信回線１３を介して遊技店側管理装置５に送信する制御も行う。
【００２１】
一方、遊技台７には、遊技制御部５１、遊技用電源回路５２、貸し玉供給装置３０、液晶表示器５３、表示制御回路５４および通信用インターフェース５５が配置されている。遊技制御部５１はマイクロプロセッサを中心として構成されており、遊技台７の上での遊技に関する全ての動作を制御する。
【００２２】
すなわち、電源が投入されると、遊技制御部５１はＲＯＭ５６内に格納されている制御プログラムを実行して、初期化処理などを含むか各種の制御動作を開始する。例えば、グリップハンドル３６が操作されて遊技が開始された後は、遊技盤面３１上に配置されて入賞口あるいはゲートに取り付けたセンサによりパチンコ玉の通過が検出されると、定まった数の賞玉を貸し玉供給装置３０から玉受け皿３２に払い出す。また、入賞口の開閉を制御すると共に、表示制御回路５４を介して液晶表示器５３の画面上に遊技の進行状態に対応した遊技画面を表示する。
【００２３】
ここで、本実施の形態の遊技制御部５１においては、その制御プログラムの初期化処理用のプログラムには、遊技台識別情報発生用のアドイン・ソフトが組み込まれている。電源が投入されると、その初期化処理動作において、遊技制御部５１は当該遊技台７に予め付与されている遊技台識別情報ＩＤを発生し、通信用インターフェース５５を介して台間機８の側に送信する。この遊技台識別情報ＩＤを受信した台間機８の玉貸し制御部４１は、通信用インターフェース４４、島中継機１２および構内通信回線１３を介して、遊技台識別情報ＩＤを遊技店側管理装置５に送出する。
【００２４】
遊技店側管理装置５では、各遊技台７から受信した各遊技台の遊技台識別情報ＩＤを、通信回線９を介して、本部側管理装置３に送信する。
【００２５】
本部側管理装置３は、その各遊技店に設置されている各遊技台に予め付与してある遊技台識別情報ＩＤ（０）が記憶保持されている遊技台データベース６０を備えている。また、受信した遊技台識別情報ＩＤを、遊技台データベース６０に保持されている遊技台識別情報ＩＤ（０）と照合して、各遊技台７の照合を行う遊技台照合部６１と、照合結果を表示するための表示部６２を備えている。
【００２６】
（遊技台の照合動作）
このように構成した本実施の形態に係る遊技台管理システム１における遊技台の照合動作あるいは同定動作を説明する。各遊技店４において、開店前に各遊技台７に電源を投入すると、遊技台７の初期化処理動作が開始される。この初期化処理動作においては、予め各遊技台７に設定されている遊技台識別情報ＩＤが発生し、これが台間機８から、島中継機１２および構内通信回線１３を介して遊技店側管理装置５に送信される。
【００２７】
遊技店側管理装置５では、受信した各遊技台の遊技台識別情報ＩＤを通信回線９を介して本部側管理装置３に送信する。本部側管理装置３では、各遊技店４の遊技店側管理装置５から受信した遊技台識別情報ＩＤを、遊技台データベース６０に保持されている対応する遊技台識別情報ＩＤ（０）と照合する。
【００２８】
ここで、遊技台識別情報ＩＤ（０）には、各遊技台７の設置場所情報と、製造元情報と、機種情報が含まれている。また、設置場所情報として、遊技店情報と、遊技店内における配置位置情報とが含まれている。さらには、遊技台７の設置日時に関する情報、遊技台を設置した業者に関する情報などが含まれている。遊技台識別情報ＩＤとしては、これら全てを含むものであってもよいし、これらのうちの一部を含むものであってもよい。さらには、これら以外の各種の情報を含むものであってもよい。
【００２９】
本部側管理装置３の照合部６１では、受信した遊技台識別情報ＩＤを、遊技台データベース６０に格納されている遊技台識別情報ＩＤ（０）と照合して、受信した遊技台識別情報ＩＤが正しいか否かを判別する。例えば、ある遊技店７において、交換対象でない遊技台７が誤って交換されてしまった場合には、本部側管理装置３における当該遊技店４の当該位置に設置されている遊技台７に付与されている遊技台識別情報ＩＤ（０）と、実際の受信した遊技台識別情報ＩＤとが一致しなくなる。あるいは、遊技台識別情報ＩＤを受信できない。これにより、遊技台７が誤って交換されてしまったことを本部側管理装置３において検出できる。かかる照合結果は、表示部６２の表示画面に、例えば一覧表の形態で表示される。不一致の識別情報が存在する場合には、警報を発生するようにしてもよい。
【００３０】
この結果、管理本部２の担当者は、本部側管理装置３の表示画面を毎日確認することにより、各遊技店４の各遊技台７が正しいものであるか否かを確認できる。よって、誤って交換された場合や、不正に交換された場合に、迅速に対応することができる。
【００３１】
（その他の実施の形態）
なお、上記の遊技台管理システム１では、各遊技台７の電源投入時に遊技台識別情報ＩＤを発生して本部側管理装置３に送信する構成となっている。この代わりに、あるいは、これと併用して、本部側管理装置３の側から各遊技台７に対して識別情報要求信号を送信し、当該識別情報要求信号を各遊技台７が受信すると、予め付与されている遊技台識別情報ＩＤを発生して本部側管理装置３に送信するようにしてもよい。このようにすれば、本部側管理装置３の側において、任意の時点で各遊技台７の照合作業を行うことができる。
【００３２】
また、上記の遊技台管理システム１は、複数の遊技店４を管理本部２において集中管理しているが、各遊技店４の遊技店側管理装置５において遊技店内の各遊技台７の照合作業を行うようにしてもよい。この場合には、遊技店側管理装置５に遊技台識別情報ＩＤ（０）が格納された遊技台データベースを構築しておけばよい。
【００３３】
さらに、遊技台識別情報発生手段としては、遊技台識別情報発生用の通信ボードを各遊技台７に実装するようにしてもよい。
【００３４】
【発明の効果】
以上説明したように、本発明の遊技台管理システムにおいては、各遊技台に予め遊技台識別情報を付与し、各遊技台の遊技台識別情報を管理装置の側において定期的に、あるいは任意の時点で確認することにより、各遊技台を照合するようにしている。
【００３５】
従って、遊技台が交換された場合などにおいて、交換作業が誤りなく行われたか否かを、実際の遊技台を目視により確認することなく検査できる。また、不正の目的で遊技台が交換された場合にもそれを確実に検出できる。
【図面の簡単な説明】
【図１】本発明を適用した遊技台管理システムを示す全体構成図である。
【図２】図１の遊技台管理システムにおける各遊技店に設置されている遊技台および台間機からなる遊戯ユニットを示す正面図である。
【図３】図１の遊技台管理システムの制御系を示す概略ブロック図である。
【符号の説明】
１    遊技台管理システム
２    管理本部
３    本部側管理装置
４    遊技店
５    遊技店側管理装置
６    遊技ユニット
７    遊技台
８    台間機
９    通信回線
１１  遊技島
１２  島中継機
１３  構内通信回線
４１  玉貸し制御部
４２  カードリーダライタ
４３  電源回路部
４４  通信用インターフェース
５１  遊技制御部
５２  遊技用電源回路
５３  液晶表示部
５４  表示制御回路
５５  通信用インターフェース
５６  ＲＯＭ
６０  遊技台データベース
６１  照合部
６２  表示部
ＩＤ  各遊技台から発信される遊技台識別情報
ＩＤ（０）  遊技台データベースに保持されている遊技台識別情報
【図１】
2004166765.tif 000003
【図２】
2004166765.tif 000004
【図３】
2004166765.tif 000005